(57)【特許請求の範囲】
【請求項１】
床スラブ上に、略同一の間隔で設置された複数の支持脚と、
該支持脚に支持された床材と、
該床材に着脱可能に固定された下レールと、
天井に着脱可能に固定された上レールと、
該上レールに上端部が係止されるとともに、前記下レールに下端部が支持された間仕切り壁と、を備え、
前記間仕切り壁の直下には、前記支持脚が配置されておらず、
前記間仕切り壁は、
板状に形成された間仕切りパネル及び吊元パネルと、
該吊元パネルに蝶番を介して開閉可能に連結されたドアと、
該ドアの戸先側に隣接配置され、板状に形成された戸先パネルと、を備え、
前記上レールの下面には、上部レール部が設けられ、
前記下レールは、前記床材に沿って配置された下部支持部と、該下部支持部の上面に設けられた下部レール部と、を有し、
前記間仕切りパネル、前記吊元パネル及び前記戸先パネルの上部は、前記上部レール部に嵌め込まれ、
前記間仕切りパネル、前記吊元パネル及び前記戸先パネルの下部は、前記下部レール部に嵌め込まれていることを特徴とする間仕切りシステム。
【請求項２】
前記間仕切りパネル、前記吊元パネル及び前記戸先パネルは、
枠体と、
該枠体の両面に設けられ、化粧が施された表面材と、を備えることを特徴とする請求項１に記載の間仕切りシステム。
【請求項３】
前記枠体は、
上枠と、
下枠と、
前記上枠と前記下枠とを連結する縦枠と、を有し、
前記上枠には、前記上部レール部と嵌合する上部嵌合部が形成され、
前記下枠には、前記下部レール部と嵌合する下部嵌合部が形成されていることを特徴とする請求項２に記載の間仕切りシステム。
【発明の詳細な説明】
【技術分野】
【０００１】
本発明は、間仕切りシステムに関するものである。
【背景技術】
【０００２】
従来から、マンション等の集合住宅においては、床スラブ上に支持脚を設置し、支持脚にパーティクルボードや合板等の床下地材を設置し、床下地材の上に床仕上げ材を敷設した二重床構造が採用されている。
【０００３】
例えば、下記の特許文献１では、床下地材の上に間仕切り壁が立設される箇所では、間仕切り壁の直下の位置に、床下地材を貫通して支持脚が配置され、間仕切り壁が固定された壁支持材を支持脚で支持する二重床構造が提案されている。この二重床構造では、支持脚には当該支持脚の底面にまで到達する中空部が上下方向に設けられ、当該中空部に充填された接着剤により、支持脚が床スラブに固定される構成である。
また、床下地材の下側且つ間仕切り壁の直下の位置に、支持脚が配置され、当該支持脚により、床下地材を介して直上の間仕切り壁を支持する構成も知られている。
【０００４】
また、住宅等の建物内には、空間を区画する間仕切り壁が設置されている。例えば、下記の特許文献２にあるように、軽量鉄骨等で構成された鋼製下地に、石膏ボード等のボード材が固定され、さらにクロスなどの内装仕上げ材を貼ったものが広く知られている。
【先行技術文献】
【特許文献】
【０００５】
【特許文献１】特開２００２−２８５６６６号公報
【特許文献２】特開２００９−１４４３５０号公報
【発明の概要】
【発明が解決しようとする課題】
【０００６】
しかしながら、上記の特許文献１に記載された構成では、床下地材に、支持脚を挿通させるための挿通孔を設ける作業、及び支持脚を床スラブに固定するために接着剤を充填する等の作業が生じるとともに、接着剤が硬化するまで時間を要するため、施工に手間や時間をかかるという問題点がある。
【０００７】
また、床下地材を介して支持脚で直上の間仕切り壁を支持させる構成では、支持脚を設置する箇所及び間仕切り壁を設置する箇所を床スラブ上に墨出ししなくてはならず、墨出しに時間がかかるという問題点がある。さらに、間仕切り壁の直下に支持脚を配置する箇所では、間仕切り壁を支持脚に固定するボルト等の固定具を設けるための加工等を、床下地材に設けなくてはならず、施工手間がかかるという問題点がある。
【０００８】
また、上記の特許文献２に記載された間仕切り壁では、施工現場で、軽量鉄骨を組み立てて鋼製下地を設置して、鋼製下地にボード材を固定するため、現場施工に時間を要するとともに、作業員等により施工精度に差が生じるという問題点がある。
【０００９】
さらに、将来、間取りの変更等で間仕切り壁の位置を変更する際には、間仕切り壁を解体して、新たに軽量鉄骨を組み立てて鋼製下地を設置して、鋼製下地にボード材を固定して、間仕切り壁を作り直す必要がある。このため、施工に時間を要するとともに、不要になった間仕切り壁を廃棄せざるを得ないため、手間やコストがかかるという問題点がある。
【００１０】
そこで、本発明は、上記事情に鑑みてなされたものであり、現場での施工性を向上させるとともに、将来的な改築にも対応しやすい間仕切りシステムを提供する。
【課題を解決するための手段】
【００１１】
上記目的を達成するために、本発明は以下の手段を採用している。
すなわち、本発明に係る間仕切りシステムは、床スラブ上に、略同一の間隔で設置された複数の支持脚と、該支持脚に支持された床材と、該床材に着脱可能に固定された下レールと、天井に着脱可能に固定された上レールと、該上レールに上端部が係止されるとともに、前記下レールに下端部が支持された間仕切り壁と、を備え、前記間仕切り壁の直下には、前記支持脚が配置されておらず、前記間仕切り壁は、板状に形成された間仕切りパネル及び吊元パネルと、該吊元パネルに蝶番を介して開閉可能に連結されたドアと、該ドアの戸先側に隣接配置され、板状に形成された戸先パネルと、を備え、前記上レールの下面には、上部レール部が設けられ、前記下レールは、前記床材に沿って配置された下部支持部と、該下部支持部の上面に設けられた下部レール部と、を有し、前記間仕切りパネル、前記吊元パネル及び前記戸先パネルの上部は、前記上部レール部に嵌め込まれ、前記間仕切りパネル、前記吊元パネル及び前記戸先パネルの下部は、前記下部レール部に嵌め込まれていることを特徴とする。
【００１２】
このように構成された間仕切りシステムでは、複数の支持脚は床スラブ上に略同一の間隔で設置され、間仕切り壁の直下には支持脚が配置されていない構成である。よって、支持脚を間仕切り壁の直下に設置する必要がないため、床スラブ上における間仕切り壁の位置の墨出しが不要となる。また、支持脚を床スラブ上に略同一の間隔で設置すればよいため、床スラブ上における墨出し作業に時間を要しない。さらに、間仕切り壁を支持脚に固定するための加工を床材に設ける必要がない。したがって、間仕切り壁の設置に伴う施工性を向上させることができる。
また、施工現場で、天井に上レールを固定し、床材に下レールを固定する。予め工場等で間仕切り壁を製造しておけば、間仕切り壁を運搬してきて、間仕切り壁の上端部を上レールに係止させ、下端部を下レールに支持させることで、間仕切り壁が天井と床材との間に設置される。よって、施工現場において、軽量鉄骨等で間仕切り壁の鋼製下地を組み立てる工事が省略され施工時間が短縮できるとともに、工場で製造された間仕切り壁を使用することで施工精度を確保することができるため、現場での施工性が向上される。
さらに、将来的に間仕切り壁の位置を変更する際には、上下端部がそれぞれ上レールに係止及び下レールに支持された既存の間仕切り壁を取り外す。次いで、天井及び床材に着脱可能に固定された上レール及び下レールを、それぞれ天井及び床材から取り外す。そして、新たに間仕切り壁を設置する箇所の天井及び床材に、取り外した上レール及び下レールを固定し、間仕切り壁の上下端部をそれぞれ上レールに係止及び下レールに支持させればよい。よって、既存の間仕切り壁、上レール及び下レールを再利用できるため、改築にも柔軟に対応することができる。
また、上レール及び下レールを設置し、間仕切りパネル、吊元パネル及び戸先パネルを、上レールに係止及び下レールに支持させて、吊元パネルに蝶番を介してドアを連結する。これにより、所望の位置に、隣接する空間の出入りを可能とするドア及び隣接する空間を区画する壁が設置される。つまり、間仕切りパネル、吊元パネル、戸先パネル及びドアの部材の配置を組み合わせることで、様々な平面プランに対応できる。よって、部品点数を抑えつつ、ドアを設けたり、空間を区切ったりすることができる。
【００１５】
また、本発明に係る間仕切りシステムでは、前記間仕切りパネル、前記吊元パネル及び前記戸先パネルは、枠体と、該枠体の両面に設けられ、化粧が施された表面材と、を備えていてもよい。
【００１６】
このように構成された間仕切りシステムでは、間仕切りパネル、吊元パネル及び戸先パネルは、内部に四方枠を有するため、間仕切りパネル、吊元パネル及び戸先パネル自体で所定の剛性を確保することができる。また、四方枠の両面には化粧が施された表面材が設けられ、表面材自体で化粧性を有するため、クロス等の壁紙を貼る工事が省略され、施工時間を短縮することができる。
【００１７】
また、本発明に係る間仕切りシステムでは、前記枠体は、上枠と、下枠と、前記上枠と前記下枠とを連結する縦枠と、を有し、前記上枠には、前記上部レール部と嵌合する上部嵌合部が形成され、前記下枠には、前記下部レール部と嵌合する下部嵌合部が形成されていてもよい。
【００１８】
このように構成された間仕切りシステムでは、上枠の上部嵌合部を上レールに嵌合して、下枠の下部嵌合部を下レールに嵌合させれば、枠体は上レール及び下レールに取り付けられるため、間仕切りパネル、吊元パネル及び戸先パネルを作業性良く設置することができる。
【発明の効果】
【００１９】
本発明に係る間仕切りシステムによれば、現場での施工性を向上させるとともに、将来的な改築にも対応しやすい。
【図面の簡単な説明】
【００２０】
【図１】本発明の一実施形態に係る間仕切りシステムを示す平面図である。
【図２】本発明の一実施形態に係る間仕切りシステムの間仕切りパネルが設置される箇所で切断した縦断面図である。
【図３】本発明の一実施形態に係る間仕切りシステムのドアが設置される箇所で切断した縦断面図である。
【図４】本発明の一実施形態に係る間仕切りシステムの構成を示す横断面図の一例である。
【発明を実施するための形態】
【００２１】
本発明の一実施形態に係る間仕切りシステムについて、図面を用いて説明する。
図１は、本発明の一実施形態に係る間仕切りシステムを示す平面図である。図２は、本発明の一実施形態に係る間仕切りシステムの間仕切りパネルが設置される箇所で切断した縦断面図である。図３は、本発明の一実施形態に係る間仕切りシステムのドアが設置される箇所で切断した縦断面図である。
本実施形態の間仕切りシステムは、例えば、マンションやアパート等の集合住宅に設置されるものである。
【００２２】
図２及び図３に示すように、間仕切りシステム１００は、床構造１００Ａと、床構造１００Ａの上側に設置される間仕切り構造１００Ｂと、を備えている。
【００２３】
床構造１００Ａは、床スラブ１と、床スラブ１上に設置された複数の支持脚２と、支持脚２に支持された床材３と、を備えている。
【００２４】
各支持脚２は、床スラブ１上に設置される台座２１と、台座２１から上方に延びる支柱２２と、支柱２２に支持された支承板２３と、を備えている。
【００２５】
支持脚２は、床スラブ１上に沿い、互いに直交するＸ方向、Ｙ方向（図１参照。以下同じ。）に略同一ピッチ（等間隔）で配置されている。本実施形態では、支持脚２はＸ，Ｙ両方向に、例えば約４５０ｍｍピッチで配置されている。
【００２６】
床材３は、支持脚２に支持される下側床パネル３０と、下側床パネル３０の上側に設置された上側床パネル３６と、を有している。
【００２７】
下側床パネル３０は、複数の単位パネル３１がＸ方向及びＹ方向にそれぞれ隣接配置されて構成されている。単位パネル３１の端部が支持脚２の支承板２３（図２参照）上に位置するように、単位パネル３１は配置されている。各単位パネル３１は、支持脚２の支承板２３にビス等の固定具（不図示）で固定されている。
【００２８】
単位パネル３１は、略矩形状に形成されている。本実施形態では、単位パネル３１は、例えば短辺３２の長さ４５０ｍｍ×長辺３３の長さ１８２０ｍｍ×厚さ２０ｍｍのパーティクルボードが採用されている。隣接する単位パネル３１間どうしは、例えば１５ｍｍの隙間（目地）をあけて配置されている。
【００２９】
本実施形態では、上側床パネル３６は、例えば厚さ１２ｍｍの合板が採用され、所定の大きさの合板がＸ方向及びＹ方向に隣接配置されている。各合板は、支持脚２の単位パネル３１にビス等の固定具（不図示）で固定されている。合板の目地は、単位パネル３１の目地と平面視で重ならない位置に配置することが好ましい。
【００３０】
図４は、間仕切りシステム１００の構成を示す横断面図の一例である。
図２、図３及び図４に示すように、間仕切り構造１００Ｂは、上レール４と、下レール５と、間仕切りパネル（間仕切り壁）６，６Ｘと、吊元パネル（間仕切り壁）８と、戸先パネル（間仕切り壁）９と、ドア１０と、を備えている。間仕切り構造１００Ｂの直下には、支持脚２は配置されていない。
【００３１】
上レール４は、天井面Ｄに固定され、間仕切りパネル６，６Ｘ、吊元パネル８、戸先パネル９及びドア１０が設置される箇所に連続して配置されている。
【００３２】
上レール４は、断面視矩形状に形成され、例えば木材や鋼材等で構成され、ビス等の固定具４Ｘで天井面Ｄに固定されている。本実施形態では、上レール４の断面寸法は、例えば幅５０ｍｍ、高さ６０ｍｍとされている。上レール４は、固定具４Ｘで天井面Ｄに固定されているため、着脱可能な構成である。
【００３３】
間仕切りパネル６，６Ｘ、吊元パネル８及び戸先パネル９が設置される箇所では、上レール４の下面４Ｂに、断面視矩形状の上部レール部４１が設けられている。上部レール部４１は、上レール４に接着や固定具等により固定されている。なお、上レール４の下面４Ｂに凹部（不図示。以下同じ。）が設けられ、断面視矩形状の上部レール部が当該凹部に嵌め込まれて、上部レール部が上レール４の下面４Ｂから下方に突出するように設けられていてもよい。
【００３４】
下レール５は、間仕切りパネル６，６Ｘ、吊元パネル８及び戸先パネル９の下側に配置されている。
【００３５】
下レール５は、床面Ｆ（床材３の上面）に沿って配置され断面視矩形状に形成された下部支持部５１と、下部支持部５１の上面５１Ｕに設けられ断面視矩形状に形成された下部レール部５２と、を有している。
【００３６】
下部支持部５１及び下部レール部５２は、例えば木材や鋼材等で構成され、下部レール部５２の上からビス等の固定具５２Ｘで下部支持部５１を貫通して床面Ｆに固定されている。下レール５は、固定具５２Ｘで床面Ｆに固定されているため、着脱可能な構成である。
【００３７】
本実施形態では、下部支持部５１の断面寸法は、例えば幅５０ｍｍ、高さ３５ｍｍとされている。なお、下部支持部５１の上面５１Ｕに凹部（不図示。以下同じ。）が設けられ、断面視矩形状の下部レール部が当該凹部に嵌め込まれて、下部レール部が下部支持部５１の上面５１Ｕから上方に突出するように設けられていてもよい。
【００３８】
間仕切りパネル６は、板状に形成されている。間仕切りパネル６は、矩形状に形成された四方枠（枠体）６０と、四方枠６０の内部に設けられた芯材部７１と、四方枠６０の両面に設けられた表面材７２と、を有している。本実施形態では、間仕切りパネル６の寸法は、例えば幅８５０ｍｍ、高さ２４１５ｍｍ、厚さ６０ｍｍとされている。
【００３９】
四方枠６０は、上桟（上枠）６１と、下桟（下枠）６４と、上桟６１の端部と下桟６４の端部とを鉛直方向に連結する縦桟（縦枠）６７と、を有している。
【００４０】
上桟６１は、断面視矩形状に形成され、上面６１Ｕには下方に凹む上部凹溝（上部嵌合部）６２が形成されている。上部凹溝６２は、上桟６１の延在方向に沿って形成されている。
【００４１】
上部凹溝６２には、上レール４の上部レール部４１が嵌め込まれている。上桟６１の上面６１Ｕと上レール４の下面４Ｂとの間には、隙間６１Ｓが設けられている。
【００４２】
下桟６４は、断面視矩形状に形成され、下面６４Ｂには上方に凹む下部凹溝（下部嵌合部）６５が形成されている。下部凹溝６５は、下桟６４の延在方向に沿って形成されている。
【００４３】
下部凹溝６５の下面には、滑り材６６が設けられている。滑り材６６は、下桟６４の延在方向に離間して複数設けられている。下部凹溝６５には下レール５の下部レール部５２が嵌め込まれ、滑り材６６が下部レール部５２の上面に当接している。
【００４４】
縦桟６７は、断面視矩形状に形成され、端面には内方に向かって凹む側部凹溝６９が形成されている。側部凹溝６９は、縦桟６７の延在方向に沿って形成されている。
【００４５】
隣接配置された間仕切りパネル６間において、縦桟６７の側部凹溝６９間には、やとい実７６が嵌め込まれている。また、間仕切りパネル６どうしが直交配置された箇所では、間仕切りパネル６の縦桟６７の側部凹溝６９と直交する間仕切りパネル６の表面材７２との間には、例えばゴムで構成されたやとい実７６Ａが嵌め込まれている。
【００４６】
芯材部７１として、例えば、紙や樹脂の材料でハニカム形状に形成されたハニカムコアを採用することができる。
【００４７】
表面材７２は、化粧が施された板材であり、例えばオレフィンシートが貼られた化粧版を採用することができる。
【００４８】
図４に示すように、間仕切りパネル６Ｘは、先付けパネル部６Ｙと、後付けパネル部６Ｚと、を有している。
【００４９】
先付けパネル部６Ｙは、矩形状に形成された四方枠６０Ｙと、四方枠６０Ｙの一方の面に設けられ化粧が施された板材の表面材７２Ｙと、を有している。
【００５０】
四方枠６０Ｙは、上桟（不図示。以下同じ。）と、下桟（不図示。以下同じ。）と、上桟の端部と下桟の端部とを鉛直方向に連結する縦桟６７Ｙと、を有している。上桟、下桟及び縦桟６７Ｙには、それぞれ切欠き溝６９Ｙが形成されている。
【００５１】
後付けパネル部６Ｚは、矩形状に形成された四方枠６０Ｚと、四方枠６０Ｚの両面に設けられた表面材７２Ｚ、７２Ｗと、を有している。表面材７２Ｗには、化粧が施されている。
【００５２】
四方枠６０Ｚは、上桟（不図示。以下同じ。）と、下桟（不図示。以下同じ。）と、上桟の端部と下桟の端部とを鉛直方向に連結する縦桟６７Ｚと、を有している。
【００５３】
先付けパネル部６Ｙの上桟、下桟及び縦桟６７Ｙには、それぞれ雌クリップ６０Ａがねじ込まれている。後付けパネル部６Ｚの表面材７２Ｚからそれぞれ上桟、下桟及び縦桟６７Ｚに貫通するように、雄クリップ６０Ｂがねじ込まれている。雌クリップ６０Ａ及び雄クリップ６０Ｂは、それぞれ鉛直方向に離間して複数設けられている。
【００５４】
雄クリップ６０Ｂは、表面材７２Ｚから突出するように設けられている。雌クリップ６０Ａに雄クリップ６０Ｂを係止させることで、後付けパネル部６Ｚは先付けパネル部６Ｙに固定されている。
【００５５】
先付けパネル部６Ｙの上桟の切欠き溝６９Ｙと後付けパネル部６Ｚの表面材７２Ｚとの間に、上レール４の上部レール部４１が嵌め込まれている。また、先付けパネル部６Ｙの下桟の切欠き溝６９Ｙと後付けパネル部６Ｚの表面材７２Ｚとの間に、下レール５の下部レール部５２が嵌め込まれている。
【００５６】
間仕切りパネル６Ｘと間仕切りパネル６との間では、間仕切りパネル６Ｘの縦桟６７Ｙの切欠き溝６９Ｙと、表面材７２Ｚと間仕切りパネル６の側部凹溝６９との間に、やとい実７６が嵌め込まれている。
【００５７】
間仕切りパネル６Ｘと壁部Ｗ１との間では、間仕切りパネル６Ｘの縦桟６７Ｙの切欠き溝６９Ｙと、表面材７２Ｚと、壁部Ｗ１との間に、やとい実７６が嵌め込まれている。やとい実７６は、ビス等の固定具６９Ｘにより壁部Ｗ１に固定されている。
【００５８】
吊元パネル８は、板状に形成されている。吊元パネル８は、間仕切りパネル６Ｘと同様に、先付けパネル部８Ｙと、後付けパネル部８Ｚと、を有している。先付けパネル部８Ｙは、見込み方向において、ドア１０が開く側Ｑに設けられている。本実施形態では、吊元パネル８の寸法は、例えば幅２５０ｍｍ、高さ２３９５ｍｍ、厚さ６０ｍｍとされている。
【００５９】
先付けパネル部８Ｙは、矩形状に形成された四方枠６０Ｙと、四方枠６０Ｙの一方の面に設けられ化粧が施された板材の表面材７２Ｙと、を有している。
【００６０】
四方枠６０Ｙのドア１０側の縦桟６７Ｙは、内側桟部８１と、内側桟部８１と隣接して内側桟部８１よりも先付けパネル部８Ｙの幅方向の外側に配置された外側桟部８２と、を有している。内側桟部８１は、断面視矩形状に形成されている。
【００６１】
後付けパネル部８Ｚのドア１０側の縦桟６７Ｚは、先付けパネル部８Ｙのドア１０側の縦桟６７Ｙよりも、ドア１０側に突出している。これにより、後付けパネル部８Ｚのドア１０側の縦桟６７Ｚの端部６８Ｚは、ドア１０の戸当たり部として機能している。吊元パネル８の後付けパネル部８Ｚの他の構成は、間仕切りパネル６Ｘの後付けパネル部８Ｚの構成と同様であり、説明を省略する。
【００６２】
吊元パネル８と壁部Ｗ２との間では、吊元パネル８の縦桟６７Ｙの切欠き溝６９Ｙと、表面材７２Ｚと、壁部Ｗ２との間に、やとい実７６が嵌め込まれている。やとい実７６は、ビス等の固定具６９Ｘにより壁部Ｗ２に固定されている。
なお、吊元パネル８は、間仕切りパネル６と同様に、先付けパネル部と、後付けパネル部とに分割されていない構成であってもよい。
【００６３】
戸先パネル９は、板状に形成されている。戸先パネル９は、矩形状に形成された四方枠６０と、四方枠６０の内部に設けられた芯材部７１と、四方枠６０の両面に設けられた表面材７２と、を有している。本実施形態では、戸先パネル９の寸法は、例えば幅２５０ｍｍ、高さ２３９５ｍｍ、厚さ６０ｍｍとされている。
【００６４】
四方枠６０は、上桟６１と、下桟６４と、上桟６１の端部と下桟６４の端部とを鉛直方向に連結する縦桟６７，９０と、を有している。
【００６５】
上桟６１、下桟６４及び縦桟６７の構成は、間仕切りパネル６の上桟６１、下桟６４及び縦桟６７の構成と同様であり、説明を省略する。
【００６６】
縦桟９０は、内側桟部９１と、内側桟部９１と隣接して内側桟部９１よりも戸先パネル９の幅方向の外側に配置された外側桟部９２と、を有している。内側桟部９１は、断面視矩形状に形成されている。外側桟部９２は、断面視矩形状に形成された本体部９３と、本体部９３から戸先パネル９の幅方向の外側に突出する戸当たり部９４と、を有している。戸当たり部９４は、見込み方向において、ドア１０が開く側Ｑと反対側に設けられている。本体部９３と戸当たり部９４とは、一体に形成されている。
【００６７】
戸先パネル９の芯材部７１及び表面材７２の構成は、間仕切りパネル６の芯材部７１及び表面材７２の構成と同様であり、説明を省略する。
【００６８】
戸先パネル９と間仕切りパネル６との間において、各縦桟６７の側部凹溝６９間には、やとい実７６が嵌め込まれている。
【００６９】
図３及び図４に示すように、ドア１０は、板状に形成されている。ドア１０は、矩形状に形成された四方枠１１０と、四方枠１１０の両面に設けられた表面材１２０と、を有している。
【００７０】
四方枠１１０は、上桟１１１と、下桟１１４と、上桟１１１の端部と下桟１１４の端部とを鉛直方向に連結する縦桟（不図示。以下同じ。）と、を有している。
【００７１】
上桟１１１は、断面視矩形状に形成された上側桟部１１２と、断面視矩形状に形成された下側桟部１１３と、を有している。上側桟部１１２と下側桟部１１３とは、鉛直方向に隣接配置されている。上桟１１１と上レール４との間には、隙間１１１Ｓが設けられている。なお、上桟１１１は、上側桟部と下側桟部とに分割されておらず、一体で構成されていてもよい。下桟１１４は、断面視矩形状に形成されている。
【００７２】
図４に示すように、ドア１０の幅方向の両端面は、それぞれ吊元パネル８及び戸先パネル９の端面と対応した形状とされている。つまり、ドア１０の端面には、幅方向の内側に向かって凹む切欠き部１１８が形成されている。切欠き部１１８には、吊元パネル８の縦桟６７Ｚの端部６８Ｚ及び戸先パネル９の戸当たり部９４が配置されている。
【００７３】
吊元パネル８の外側桟部８２の端面及びドア１０の縦桟の端面には、それぞれ第一羽根部１２１及び第二羽根部１２２が埋め込まれている。これら第一羽根部１２１及び第二羽根部１２２は、鉛直方向を向く軸部（不図示。以下同じ。）を中心として回動可能に連結されている。この第一羽根部１２１、第二羽根部１２２及び軸部により蝶番１２５が構成されている。蝶番１２５により、ドア１０は吊元パネル８に対して開閉可能に連結されている。
【００７４】
間仕切りパネル６、吊元パネル８、戸先パネル９及びドア１０の表面は、それぞれ見込み方向に凹凸がない構成とされている。これにより、間仕切りパネル６、吊元パネル８、戸先パネル９及びドア１０の表面は、同一面上に配置されている。
【００７５】
次に、上記の間仕切りシステム１００の施工方法について説明する。
まず、予め工場等で製造しておいた間仕切りパネル６，６Ｘ、吊元パネル８及び戸先パネル９及びドア１０を用意しておく。吊元パネル８の外側桟部８２及びドア１０の縦桟に、それぞれ蝶番１２５の第一羽根部１２１及び第二羽根部１２２を固定しておく。
【００７６】
次に、床スラブ１上に、支持脚２を設置する。
この際に、床スラブ１上の任意の点を起点として、支持脚２をＸ方向及びＹ方向に略同一ピッチで設置する。本実施形態では、Ｘ方向及びＹ方向に、約４５０ｍｍピッチで、順次支持脚２を設置していく。
【００７７】
次に、単位パネル３１の端部が支持脚２に位置するように、単位パネル３１を配置して、単位パネル３１の端部をそれぞれ支持脚２の支承板２３に不図示の固定具で固定する。また、単位パネル３１の上側に、上側床パネル３６を配置して、不図示の固定具で固定する。
【００７８】
次に、上レール４を天井面Ｄに固定具４Ｘで固定する。この際に、間仕切りパネル６，６Ｘ、吊元パネル８及び戸先パネル９が設置される箇所では、上レール４の下面４Ｂに、上部レール部４１を固定する。
【００７９】
また、間仕切りパネル６，６Ｘ、吊元パネル８及び戸先パネル９が設置される箇所に、下レール５を床面Ｆに固定具５２Ｘで固定する。
【００８０】
次に、間仕切りパネル６及び戸先パネル９を設置する際には、上レール４及び下レール５の延在方向の端部側に、間仕切りパネル６及び戸先パネル９を配置する。間仕切りパネル６及び戸先パネル９の上部凹溝６２及び下部凹溝６５に、それぞれ上レール４の上部レール部４１及び下レール５の下部レール部５２を嵌め込み、所定の位置まで上レール４及び下レール５に沿ってスライドさせる。この際に、間仕切りパネル６及び戸先パネル９の下端部には滑り材６６が設けられているため、スライドさせやすい。
【００８１】
間仕切りパネル６や戸先パネル９を隣接配置する場合には、間仕切りパネル６及び戸先パネル９の側部凹溝６９にやとい実７６を嵌め込み、間仕切りパネル６及び戸先パネル９を所定の位置に配置する。間仕切りパネル６及び戸先パネル９の上部凹溝６２及び下部凹溝６５は、上レール４の上部レール部４１及び下レール５の下部レール部５２に嵌め込まれているため、間仕切りパネル６及び戸先パネル９は厚さ方向への移動が規制されている。
【００８２】
図４に示すように、間仕切りパネル６どうしを直交させて設置する場合も、同様に、間仕切りパネル６の縦桟６７の側部凹溝６９と直交する間仕切りパネル６の表面材７２との間に、やとい実７６Ａを嵌め込む。
【００８３】
間仕切りパネル６Ｘを設置する際には、先付けパネル部６Ｙを所定の位置に配置した後に、先付けパネル部６Ｙに下穴を設けて雌クリップ６０Ａをねじ込む。後付けパネル部６Ｚの雌クリップ６０Ａと対応する位置に下穴を設けて、雄クリップ６０Ｂをねじ込む。
【００８４】
壁部Ｗ１側では、やとい実７６を固定具６９Ｘで壁部Ｗ１に固定しておく。隣接する間仕切りパネル６側では、切欠き溝６９Ｙにやとい実７６を嵌め込んでおいて、雄クリップ６０Ｂを雌クリップ６０Ａに係止させて、後付けパネル部６Ｚを先付けパネル部６Ｙに固定する。吊元パネル８も間仕切りパネル６Ｘと同様に設置する。
【００８５】
次に、吊元パネル８の第一羽根部１２１とドア１０の第二羽根部１２２とを軸部で連結して、吊元パネル８にドア１０を吊ることで、間仕切りシステム１００は完成する。
【００８６】
なお、間仕切りパネル６及び戸先パネル９の上面６１Ｕと上レール４の下面４Ｂとの間の隙間６１Ｓの高さが十分にある場合には、これら間仕切りパネル６及び戸先パネル９の上部凹溝６２に上レール４の上部レール部４１を嵌め込み、間仕切りパネル６及び戸先パネル９を上方に持ち上げた後に、下部凹溝６５に下部レール部５２を嵌め込んで下方に移動させて、間仕切りパネル６及び戸先パネル９を上レール４に係止及び下レール５に支持させてもよい。
【００８７】
このように設置された間仕切り構造１００Ｂの位置を変更する際には、例えば、ドア１０を吊元パネル８から取り外して、上レール４及び下レール５の延在方向の端部側に間仕切りパネル６，６Ｘ、吊元パネル８及び戸先パネル９をスライドさせて、上レール４及び下レール５から取り外す。そして、固定具４Ｘ，５２Ｘで固定された上レール４及び下レール５を天井面Ｄ及び床面Ｆから取り外す。
【００８８】
そして、新たに間仕切り構造１００Ｂを設置する箇所で、上記と同様に、取り外した上レール４、下レール５、間仕切りパネル６，６Ｘ、吊元パネル８、戸先パネル９及びドア１０を設置していく。
【００８９】
このように構成された間仕切りシステム１００では、複数の支持脚２は床スラブ１上に略同一の間隔で設置され、間仕切りパネル６，６Ｘ、吊元パネル８、戸先パネル９及びドア１０の直下には支持脚２が配置されていない構成である。よって、支持脚２を間仕切りパネル６，６Ｘ、吊元パネル８、戸先パネル９及びドア１０の直下に設置する必要がないため、床スラブ１上における間仕切りパネル６，６Ｘ、吊元パネル８、戸先パネル９及びドア１０の位置の墨出しが不要となる。また、支持脚２を床スラブ１上に略同一の間隔で設置すればよいため、床スラブ１上における墨出し作業に時間を要しない。さらに、間仕切りパネル６，６Ｘ、吊元パネル８、戸先パネル９及びドア１０を支持脚２に固定するための加工を床材に設ける必要がない。したがって、間仕切りパネル６，６Ｘ、吊元パネル８、戸先パネル９及びドア１０の設置に伴う施工性を向上させることができる。
【００９０】
また、施工現場で、天井面Ｄに上レール４を固定し、床面Ｆに下レール５を固定する。予め工場等で間仕切りパネル６，６Ｘ、吊元パネル８及び戸先パネル９を製造しておけば、間仕切りパネル６，６Ｘ、吊元パネル８及び戸先パネル９を運搬してきて、間仕切りパネル６，６Ｘ、吊元パネル８及び戸先パネル９の上端部を上レール４に係止させ、下端部を下レール５に支持させることで、間仕切りパネル６，６Ｘ、吊元パネル８、戸先パネル９及びドア１０が天井面Ｄと床面Ｆとの間に設置される。よって、施工現場において、軽量鉄骨等で間仕切り壁の鋼製下地を組み立てる工事が省略され施工時間が短縮できるとともに、工場で製造された間仕切りパネル６，６Ｘ、吊元パネル８及び戸先パネル９を使用することで施工精度を確保することができるため、現場での施工性が向上される。
【００９１】
さらに、将来的に間仕切りパネル６，６Ｘ、吊元パネル８、戸先パネル９及びドア１０の位置を変更する際には、上下端部がそれぞれ上レール４及び下レール５に支持された既存の間仕切りパネル６，６Ｘ、吊元パネル８、戸先パネル９及びドア１０を取り外す。次いで、天井面Ｄ及び床面Ｆに着脱可能に固定された上レール４及び下レール５を、それぞれ天井面Ｄ及び床面Ｆから取り外す。そして、新たに間仕切りパネル６，６Ｘ、吊元パネル８、戸先パネル９及びドア１０を設置する箇所の天井面Ｄ及び床面Ｆに、取り外した上レール４及び下レール５を固定し、間仕切りパネル６，６Ｘ、吊元パネル８、戸先パネル９及びドア１０の上下端部をそれぞれ上レール４に係止及び下レール５に支持させればよい。よって、既存の間仕切りパネル６，６Ｘ、吊元パネル８、戸先パネル９及びドア１０、上レール４及び下レール５を再利用できるため、改築にも柔軟に対応することができる。
【００９２】
また、上レール４及び下レール５を設置し、間仕切りパネル６，６Ｘ、吊元パネル８及び戸先パネル９を、上レール４に係止及び下レール５に支持させて、吊元パネル８に蝶番１２５を介してドア１０を連結する。これにより、所望の位置に、隣接する空間の出入りを可能とするドア１０及び隣接する空間を区画する壁が設置される。つまり、間仕切りパネル６，６Ｘ、吊元パネル８及び戸先パネル９の部材の配置を組み合わせることで、様々な平面プランに対応できる。よって、部品点数を抑えつつ、ドア１０を設けたり、空間を区切ったりすることができる。
【００９３】
また、間仕切りパネル６，６Ｘ、吊元パネル８及び戸先パネル９は、内部に四方枠６０，６０Ｙ，６０Ｚを有するため、間仕切りパネル６，６Ｘ、吊元パネル８及び戸先パネル９自体で所定の剛性を確保することができる。また、四方枠６０，６０Ｙ，６０Ｚの両面には化粧が施された表面材７２，７２Ｗが設けられ、表面材７２，７２Ｗ自体で化粧性を有するため、クロス等の壁紙を貼る工事が省略され、施工時間を短縮することができる。
【００９４】
また、上桟６１の上部凹溝６２を上レール４に嵌合して、下桟６４の下部凹溝６５を下レール５に嵌合させれば、四方枠６０は上レール４及び下レール５に取り付けられるため、間仕切りパネル６，６Ｘ、吊元パネル８及び戸先パネル９を作業性良く設置することができる。
【００９５】
なお、上述した実施の形態において示した組立手順、あるいは各構成部材の諸形状や組み合わせ等は一例であって、本発明の主旨から逸脱しない範囲において設計要求等に基づき種々変更可能である。
【符号の説明】
【００９６】
１…床スラブ  ２…支持脚  ３…床材  ４…上レール  ５…下レール  ６，６Ｘ…間仕切りパネル（間仕切り壁）  ８…吊元パネル（間仕切り壁）  ９…戸先パネル（間仕切り壁）  １０…ドア  ３０…下側床パネル  ３１…単位パネル  ３６…上側床パネル  ６０…四方枠（枠体）  ７２…表面材  ６１…上桟（上枠）  ６２…上部凹溝（上部嵌合部）  ６４…下桟（下枠）  ６５…下部凹溝（下部嵌合部）  ６７…縦桟（縦枠）  ６９…側部凹溝  ７６…やとい実  １００…間仕切りシステム  １２５…蝶番
【図１】
0006782910.tif 000002
【図２】
0006782910.tif 000003
【図３】
0006782910.tif 000004
【図４】
0006782910.tif 000005